(57)【要約】【課題】給湯運転又は暖房運転の単独運転から給湯運転と暖房運転の同時運転に移行するときに、暖房熱交換器の劣化が生じることを防止した熱源装置を提供する。【解決手段】コントローラ２０は、給湯運転と暖房運転の同時運転時に、給湯管８ｂから供給される湯の温度が目標給湯温度となるように、給湯能力切換弁４３Ｌ，４３Ｍ，４３Ｓとガス比例弁４２とにより給湯バーナ４−１の燃焼量を制御すると共に、暖房熱交換器３−２から暖房循環回路９に送出される温水の温度が目標暖房供給温度に近付くように、暖房能力切換弁４４Ｌ，４４Ｓにより暖房バーナ４−２の燃焼量を制御し、給湯運転又は暖房運転の単独運転のから給湯運転と暖房運転の同時運転に移行するときに、暖房能力切換弁４４Ｌ，４４Ｓによって暖房バーナ４−２の燃焼範囲を最大燃焼範囲よりも減少させた状態で、暖房バーナ４−２の燃焼を開始する。【選択図】  図１
2013170772.tif 000002
【特許請求の範囲】
【請求項１】
給水管及び給湯管に接続された給湯熱交換器と、
燃焼範囲を区画する複数の給湯バーナブロックにより構成されて、前記給湯熱交換器を加熱する給湯バーナと、
暖房端末が接続された暖房循環回路の途中に接続された暖房熱交換器と、
燃焼範囲を区画する複数の暖房バーナブロックにより構成されて、前記暖房熱交換器を加熱する暖房バーナと、
前記給湯バーナ及び前記暖房バーナに対して共通の燃料ガス供給路に設けられて、該燃料ガス供給路の開度を変更するガス開度変更弁と、
前記燃料ガス供給路から前記各給湯バーナブロックへの燃料ガスの供給と遮断とを、前記各給湯バーナブロック毎に切替える給湯能力切換弁と、
前記燃料ガス供給路から前記各暖房バーナブロックへの燃料ガスの供給と遮断とを、前記各暖房バーナブロック毎に切替える暖房能力切換弁と、
前記給湯バーナを燃焼させて前記給水管から供給される水を前記給湯熱交換器により加熱して前記給湯管に出湯する給湯運転と、前記暖房バーナを燃焼させて前記暖房循環回路を流通する熱媒体を前記暖房熱交換器により加熱する暖房運転とを実行するコントローラと
を備えた熱源装置であって、
前記コントローラは、
前記給湯運転の単独運転時には、前記給湯管から供給される湯の温度が目標給湯温度となるように、前記給湯能力切換弁と前記ガス開度変更弁とにより、前記給湯バーナの燃焼量を制御し、
前記暖房運転の単独運転時には、前記暖房熱交換器から前記暖房循環回路に送出される熱媒体の温度が目標暖房供給温度となるように、前記暖房能力切換弁と前記ガス開度変更弁とにより、前記暖房バーナの燃焼量を制御し、
前記給湯運転と前記暖房運転の同時運転時には、前記給湯管から供給される湯の温度が前記目標給湯温度となるように、前記給湯能力切換弁と前記ガス開度変更弁とにより前記給湯バーナの燃焼量を制御すると共に、前記暖房熱交換器から前記暖房循環回路に送出される熱媒体の温度が前記目標暖房供給温度に近付くように、前記暖房能力切換弁により前記暖房バーナの燃焼量を制御し、
前記給湯運転又は前記暖房運転の単独運転から前記給湯運転と前記暖房運転の同時運転に移行するときに、前記暖房能力切換弁によって前記暖房バーナの燃焼範囲を最大燃焼範囲よりも減少させた状態で、前記暖房バーナの燃焼を開始することを特徴とする熱源装置。
【請求項２】
請求項１に記載の熱源装置において、
前記コントローラは、前記給湯運転又は前記暖房運転の単独運転から前記給湯運転と前記暖房運転の同時運転に移行するときに、前記暖房能力切換弁により前記暖房バーナの燃焼範囲を最小にした状態で、前記暖房バーナの燃焼を開始し、その後、前記暖房熱交換器から前記暖房循環回路に供給される熱媒体の温度が前記目標暖房供給温度に近付くように、前記暖房能力切換弁により前記暖房バーナの燃焼量を制御することを特徴とする熱源装置。
【発明の詳細な説明】
【技術分野】
【０００１】
本発明は、給湯機能と暖房機能を備えた熱源装置に関する。
【背景技術】
【０００２】
従来より、給水管及び給湯管と接続された給湯熱交換器を加熱する給湯バーナと、温水暖房端末が接続された温水循環路の途中に接続された暖房熱交換器を加熱する暖房バーナとを有し、給湯バーナ及び暖房バーナを複数のバーナブロックにより構成し、給湯バーナ及び暖房バーナに接続された燃料ガスの供給管の開度を変更する開度変更弁を、給湯バーナと暖房バーナに共通に一つだけ設けた熱源装置が知られている（例えば、特許文献１参照）。
【０００３】
特許文献１に記載された熱源装置においては、給湯バーナと暖房バーナの燃焼量を、各バーナにおいて燃焼させるバーナブロックの選択と、開度変更弁の開度の組合せによって変更している。
【０００４】
そして、この場合、給湯バーナ又は暖房バーナを単独で燃焼させるときは、燃焼させない方のバーナへの燃料ガスの供給を遮断して、開度変更弁により燃焼中のバーナへの燃料ガスの供給流量を任意に変更することができるが、給湯バーナと暖房バーナを同時に燃焼させるときには、開度変更弁により給湯バーナと暖房バーナへの燃料ガスの供給流量を個別に変更することができない。
【０００５】
そこで、特許文献１に記載された熱源装置においては、給湯運転と暖房運転を同時に実行するときには給湯運転を優先して、所定の目標給湯温度の湯が得られるように開度変更弁によりガス供給管の開度を調節して給湯バーナの燃焼量を制御し、暖房バーナ側は、燃焼させるバーナブロックの切り替えにより燃焼量を制御するようにしている。
【０００６】
また、暖房バーナを複数のバーナブロックにより構成した場合、消火状態にあるバーナブロックに供給される燃焼用空気は、燃焼に使用されずに燃焼状態にあるバーナブロックの燃焼排ガスと混合する。その結果、暖房バーナの燃焼排ガスの温度が下がり、燃焼排ガスにより加熱される暖房熱交換器での熱効率が低下する。そこで、暖房運転時に、燃焼させるバーナブロックを極力多して燃焼範囲を大きくすることにより、暖房熱交換器での熱効率を高めるようにした構成が提案されている（例えば、特許文献２参照）。
【先行技術文献】
【特許文献】
【０００７】
【特許文献１】特開２００６−１１２６６０号公報
【特許文献２】特開２００７−２８５６２５号公報
【発明の概要】
【発明が解決しようとする課題】
【０００８】
特許文献１に記載された熱源装置において、給湯又は暖房運転の単独運転から給湯運転と暖房運転の同時運転に移行した場合、給湯バーナの燃焼量は、目標給湯温度が得られるように、燃焼させるバーナブロックと開度変更弁の開度により調節されるが、暖房バーナは、開度変更弁の開度が給湯バーナ側の制御に依存した成り行きになるため、暖房バーナの燃焼量が過大となって暖房熱交換器内の温水が沸騰し、暖房熱交換器の劣化が生じるおそれがある。
【０００９】
本発明はかかる背景に鑑みてなされたものであり、給湯又は暖房運転の単独運転から給湯運転と暖房運転の同時運転に移行するときに、暖房熱交換器の劣化が生じることを防止した熱源装置を提供することを目的とする。
【課題を解決するための手段】
【００１０】
本発明は上記目的を達成するためになされたものであり、
給水管及び給湯管に接続された給湯熱交換器と、
燃焼範囲を区画する複数の給湯バーナブロックにより構成されて、前記給湯熱交換器を加熱する給湯バーナと、
暖房端末が接続された暖房循環回路の途中に接続された暖房熱交換器と、
燃焼範囲を区画する複数の暖房バーナブロックにより構成されて、前記暖房熱交換器を加熱する暖房バーナと、
前記給湯バーナ及び前記暖房バーナに対して共通の燃料ガス供給路に設けられて、該燃料ガス供給路の開度を変更するガス開度変更弁と、
前記燃料ガス供給路から前記各給湯バーナブロックへの燃料ガスの供給と遮断とを、前記各給湯バーナブロック毎に切替える給湯能力切換弁と、
前記燃料ガス供給路から前記各暖房バーナブロックへの燃料ガスの供給と遮断とを、前記各暖房バーナブロック毎に切替える暖房能力切換弁と、
前記給湯バーナを燃焼させて前記給水管から供給される水を前記給湯熱交換器により加熱して前記給湯管に出湯する給湯運転と、前記暖房バーナを燃焼させて前記暖房循環回路を流通する熱媒体を前記暖房熱交換器により加熱する暖房運転とを実行するコントローラとを備えた熱源装置に関する。
【００１１】
そして、前記コントローラは、
前記給湯運転の単独運転時には、前記給湯管から供給される湯の温度が目標給湯温度となるように、前記給湯能力切換弁と前記ガス開度変更弁とにより、前記給湯バーナの燃焼量を制御し、
前記暖房運転の単独運転時には、前記暖房熱交換器から前記暖房循環回路に送出される熱媒体の温度が目標暖房供給温度となるように、前記暖房能力切換弁と前記ガス開度変更弁とにより、前記暖房バーナの燃焼量を制御し、
前記給湯運転と前記暖房運転の同時運転時には、前記給湯管から供給される湯の温度が前記目標給湯温度となるように、前記給湯能力切換弁と前記ガス開度変更弁とにより前記給湯バーナの燃焼量を制御すると共に、前記暖房熱交換器から前記暖房循環回路に送出される熱媒体の温度が前記目標暖房供給温度に近付くように、前記暖房能力切換弁により前記暖房バーナの燃焼量を制御し、
前記給湯運転又は前記暖房運転の単独運転から前記給湯運転と前記暖房運転の同時運転に移行するときに、前記暖房能力切換弁によって前記暖房バーナの燃焼範囲を最大燃焼範囲よりも減少させた状態で、前記暖房バーナの燃焼を開始することを特徴とする（第１発明）。
【００１２】
第１発明によれば、前記コントローラは、前記給湯運転又は前記暖房運転の単独運転から前記給湯運転と前記暖房運転の同時運転に移行するときに、前記暖房能力切換弁によって前記暖房バーナの燃焼範囲を最大燃焼範囲よりも減少させた状態で、前記暖房バーナの燃焼を開始する。このように、前記暖房バーナの燃焼範囲を最大燃焼範囲よりも減少させた状態で、前記暖房バーナの燃焼を開始することにより、前記暖房バーナによる前記暖房熱交換器の加熱が過剰になり難くなるため、前記暖房熱交換器内の熱媒体の沸騰により前記暖房熱交換器の劣化が生じることを防止することができる。
【００１３】
また、第１発明において、
前記コントローラは、前記給湯運転又は前記暖房運転の単独運転から前記給湯運転と前記暖房運転の同時運転に移行するときに、前記暖房能力切換弁により前記暖房バーナの燃焼範囲を最小にした状態で、前記暖房バーナの燃焼を開始し、その後、前記暖房熱交換器から前記暖房循環回路に供給される熱媒体の温度が前記目標暖房供給温度に近付くように、前記暖房能力切換弁により前記暖房バーナの燃焼量を制御することを特徴とする（第２発明）。
【００１４】
第２発明によれば、前記コントローラにより、前記給湯運転の単独運転から前記給湯運転と前記暖房運転の同時運転に移行するときに、前記暖房能力切換弁によって前記暖房バーナの燃焼範囲を最小にした状態で、前記暖房バーナの燃焼を開始することによって、前記暖房バーナによる前記暖房熱交換器の加熱が、さらに過剰になり難くなることが期待できる。
【図面の簡単な説明】
【００１５】
【図１】熱源装置の構成図。
【図２】暖房バーナ燃焼量と熱効率との関係を示した説明図。
【図３】給湯運転と暖房運転を同時に行なう場合の暖房運転の第１フローチャート。
【図４】給湯運転と暖房運転を同時に行なう場合の暖房運転の第２フローチャート。
【発明を実施するための形態】
【００１６】
本発明の実施形態について、図１〜図４を参照して説明する。
【００１７】
図１を参照して、本実施形態の熱源装置は、単一の缶体１内に、給湯用の給湯燃焼部２−１と暖房及び追焚き用の暖房燃焼部２−２とが仕切り壁１ａを隔てて並設された１缶式の複合型の熱源装置であり、コントローラ２０によって全体の作動が制御される。
【００１８】
コントローラ２０は、図示しないＣＰＵ、メモリ、入出力インターフェース等により構成された電子回路ユニットであり、メモリに保持された熱源装置の制御用プログラムをＣＰＵで実行することによって、コントローラ２０は、後述する「給湯運転」、「湯張り運転」、「追焚き運転」、及び「暖房運転」を実行する機能を果す。
【００１９】
コントローラ２０には、熱源装置を遠隔操作するためのリモコン２５が接続されている。リモコン２５には、「湯張り運転」の実行を指示するための湯張りスイッチ２７、「追焚き運転」の実行を指示するための追焚きスイッチ２８、熱源装置を運転状態（各運転の実行が可能な状態）と待機状態（各運転の実行が不能であって、運転状態への切り替え操作のみが可能な状態）に切替えるための運転スイッチ２９、及び表示部２６等が備えられている。
【００２０】
給湯燃焼部２−１は、給湯熱交換器３−１とこれを加熱する給湯バーナ４−１とを有している。暖房燃焼部２−２は、暖房及び追焚き用の暖房熱交換器３−２とこれを加熱する暖房バーナ４−２とを有している。給湯燃焼部２−１と暖房燃焼部２−２には共通の燃焼ファン５から燃焼用空気が供給される。
【００２１】
給湯バーナ４−１の燃焼排気は、給湯熱交換器３−１に導かれて給湯熱交換器３−１で熱交換した後に、給湯熱交換器３−１及び暖房熱交換器３−２の上側の排気フード６に流れて排気フード６に形成された排気口６ａから外部に排出される。同様に、暖房バーナ４−２の燃焼排気は、暖房熱交換器３−２に導かれて暖房熱交換器３−２で熱交換器した後に、排気フード６に流れて排気口６ａから外部に排出される。なお、給湯バーナ４−１及び暖房バーナ４−２の燃焼量に対応した量の燃焼用空気が供給されるように、コントローラ２０により燃焼ファン５の回転速度が制御される。
【００２２】
給湯熱交換器３−１には、上流側の給水管８ａと下流側の給湯管８ｂとが接続されている。給水管８ａには、流量センサ８１とコントローラ２０により制御される流量調節弁８２とが設けられている。さらに、流量調節弁８２の下流側で給水管８ａと給湯管８ｂとを連通するバイパス管８ｃが設けられ、バイパス管８ｃにはコントローラ２０により制御されるバイパス流量調節弁８３が設けられている。また、給湯管８ｂには、上流側の湯温センサ８４と、バイパス管８ｃとの合流箇所の下流側の湯温センサ８５とが設けられている。
【００２３】
流量センサ８１と湯温センサ８４，８５の検出信号はコントローラ２０に入力される。そして、コントローラ２０は、給湯管８ｂの下流端のカラン８６が開栓されて給湯熱交換器３−１への通水が開始され、流量センサ８１の検出流量が所定の下限流量以上となったときに、燃焼ファン５を駆動すると共に、給湯バーナ４−１に点火して「給湯運転」を実行する。
【００２４】
「給湯運転」に際して、コントローラ２０は、湯温センサ８５の検出温度がリモコン２５で設定された給湯温度（目標給湯温度）となるように、給湯バーナ４−１の燃焼量を制御すると共に、バイパス流量調節弁８３によりバイパス管８ｃの流水量（バイパスミキシング量）を制御する。
【００２５】
また、コントローラ２０は、給湯バーナ４−１の燃焼量を最大にしても、湯温センサ８５の検出温度がリモコン２５で設定された給湯温度に達しないときは、流量調節弁８２により給水管８ａの通水量を減少させる。
【００２６】
暖房熱交換器３−２は、要求湯温が比較的高い高温暖房端末である温水式の温風暖房機１０（本発明の暖房端末に相当する）が接続された暖房循環回路９の途中に接続されている。暖房循環回路９は、暖房熱交換器３−２で加熱された温水（本発明の熱媒体に相当する）を温風暖房機１０に送出する暖房往き管９ａと、温風暖房機１０内を流通した温水を暖房熱交換器３−２に戻す暖房戻り管９ｂとにより構成されている。
【００２７】
暖房戻り管９ｂには、シスターン９１と、コントローラ２０により制御される暖房ポンプ９２とが介設されている。そして、温風暖房機１０の運転スイッチ（図示しない）がＯＮ操作されたときに、コントローラ２０は、温風暖房機１０の通水弁１０ａを開弁すると共に、暖房ポンプ９２を駆動して、温風暖房機１０と暖房熱交換器３−２との間で暖房循環回路９を介して温水を循環させる「暖房運転」を実行する。
【００２８】
また、本実施形態では、要求湯温が比較的低い低温暖房端末である床暖房パネル１１（本発明の暖房端末に相当する）が備えられており、暖房ポンプ９２の下流側の暖房戻り管９ｂの部分から床暖房パネル１１に至る低温暖房往き管９ｃが分岐している。床暖房パネル１１内を流通した温水は温風暖房機１０内を流通した湯水と合流してシスターン９１に戻る。
【００２９】
さらに、暖房循環回路９にはバイパス管９ｄが設けられている。床暖房パネル１１の運転スイッチ（図示しない）がＯＮ操作されると、コントローラ２０は、床暖房パネル１１の通水弁１１ａを開弁すると共に、暖房ポンプ９２を駆動して「暖房運転」を実行する。これにより、バイパス管９ｄを経由して暖房熱交換器３−２に温水が循環されると共に、暖房ポンプ９２から送出される温水の一部が床暖房パネル１１に供給され、暖房熱交換器３−２からの熱がシスターン９１を介して床暖房パネル１１に伝達される。
【００３０】
暖房往き管９ａの上流部には、暖房熱交換器３−２から送出される温水の温度を検出する湯温センサ９３が設けられており、湯温センサ９３の検出信号がコントローラ２０に入力される。そして、コントローラ２０は、温風暖房機１０や床暖房パネル１１の運転スイッチ（図示しない）がＯＮ操作されて「暖房運転」を行なう際に、湯温センサ９３で検出される暖房側出湯温度が温風暖房機１０や床暖房パネル１１の要求湯温（目標暖房供給温度）となるように、暖房バーナ４−２の燃焼量を制御する。なお、温風暖房機１０の要求湯温は比較的高温（例えば８０℃）であり、床暖房パネル１１の要求湯温は比較的低温（例えば６０℃）である。
【００３１】
また、暖房熱交換器３−２は、風呂の追焚きを行なう際の熱源としても機能する。浴槽１２に接続された風呂循環回路１３（風呂往き管１３ａと風呂戻り管１３ｂにより構成される）には、コントローラ２０により制御される風呂ポンプ１３１と液々熱交換器１３２とが介設されている。また、暖房循環回路９には、暖房往き管９ａから液々熱交換器１３２を経由してシスターン９１に至る追焚き管９ｅが設けられている。
【００３２】
そして、リモコン２５に備えられた追焚きスイッチ２８がＯＮ操作されると、コントローラ２０は、風呂ポンプ１３１を駆動して風呂循環回路１３に浴槽１２内の湯水を循環させると共に暖房ポンプ９２を駆動し、暖房バーナ４−２に点火して「追焚き運転」を実行する。「追焚き運転」においては、暖房熱交換器３−２で加熱された温水が液々熱交換器１３２を経由して暖房循環回路９を循環し、風呂循環回路１３を循環する浴槽１２の湯水が液々熱交換器１３２で加熱される。
【００３３】
風呂循環回路１３と液々熱交換器１３２との接続箇所の付近には、戻り側に戻り温度センサ１４１（検出温度Ｔin）が設けられ、往き側に往き温度センサ１４０（検出温度Ｔout）が設けられている。また、風呂循環回路１３には、風呂循環回路１３内を湯水が循環していることを検出する風呂水流スイッチ１４２が設けられている。そして、戻り温度センサ１４１と往き温度センサ１４０と風呂水流スイッチ１４２の検出信号がコントローラ２０に入力される。コントローラ２０は、戻り温度センサ１４１の検出温度がリモコン２５で設定された追焚き温度まで上昇したときに「追焚き運転」を終了する。
【００３４】
また、風呂循環回路１３には、給湯管８ｂから分岐した湯張り管１３５が逆止弁１３６を介してＸで接続されている。湯張り管１３５には、コントローラ２０により制御される湯張り開閉弁１３７が介設されている。コントローラ２０は、リモコン２５に備えられた湯張りスイッチ２７がＯＮ操作されたときに、湯張り開閉弁１３７を開弁して、給湯熱交換器３−１で加熱された湯を湯張り管１３５を経由して、リモコン２５で設定された湯張りレベル（湯張り設定水位）まで浴槽１２に供給する「湯張り運転」を実行する。
【００３５】
次に、給湯バーナ４−１及び暖房バーナ４−２に対して、燃料ガスを供給するための構成について説明する。給湯バーナ４−１と暖房バーナ４−２に対する共通の燃料ガス供給路４０には、燃料ガス供給路４０を開閉するガス元弁４１と燃料ガス供給路４０の開度を変更するガス比例弁４２（本発明のガス開度変更弁に相当する。なお、サーボ弁を用いてもよい）とが設けられている。
【００３６】
そして、燃料ガス供給路４０から給湯バーナ４−１用の給湯能力切換弁４３Ｓ，４３Ｍ，４３Ｌを介して給湯バーナ４−１に燃料ガスが供給される。また、燃料ガス供給路４０から暖房バーナ４−２用の暖房能力切換弁４４Ｓ，４４Ｌを介して暖房バーナ４−２に燃料ガスが供給される。
【００３７】
ここで、給湯バーナ４−１は、１６個の単位バーナ４ａで構成され、給湯能力切換弁４３Ｓに接続された給湯バーナブロック４−１Ｓは３個の単位バーナ４ａを備え、給湯能力切換弁４３Ｍに接続された給湯バーナブロック４−１Ｍは５個の単位バーナ４ａを備え、給湯能力切換弁４３Ｌに接続された給湯バーナブロック４−１Ｌは８個の単位バーナ４ａを備えている。
【００３８】
給湯バーナ４−１の燃焼範囲（燃焼面積）は、複数の給湯バーナブロック４−１Ｓ，４−１Ｍ，４−１Ｌにより区画され、コントローラ２０は、給湯能力切換弁４３Ｓ，４３Ｍ，４３Ｌの開閉を切換えて給湯バーナ４−１の燃焼範囲を変更する。
【００３９】
また、暖房バーナ４−２は、５個の単位バーナ４ａで構成され、暖房能力切換弁４４Ｓに接続された暖房バーナブロック４−２Ｓは２個の単位バーナ４ａを備え、暖房能力切換弁４４Ｌに接続された暖房バーナブロック４−２Ｌは３個の単位バーナ４ａを備えている。
【００４０】
暖房バーナ４−２の燃焼範囲（燃焼面積）は、複数の暖房バーナブロック４−２Ｓ，４−２Ｌにより区画され、コントローラ２０は、暖房能力切換弁４４Ｓ，４４Ｌの開閉を切換えて暖房バーナの燃焼範囲を変更する。
【００４１】
ここで、コントローラ２０は、暖房バーナ４−２の燃焼量を制御する際に、バーナの燃焼範囲をできるだけ大きくすることで熱交換器の熱効率を高めている。例えば、暖房バーナ４−２の燃焼範囲は、暖房能力切換弁４４Ｌと暖房能力切換弁４４Ｓを共に開弁した「燃焼範囲大」設定と、暖房能力切換弁４４Ｌを開弁して暖房能力切換弁４４Ｓを閉弁した「燃焼範囲中」設定と、暖房能力切換弁４４Ｓを開弁して暖房能力切換弁４４Ｌを閉弁した「燃焼範囲小」設定とに切替えられ、各燃焼範囲での熱効率は図２に示したようになる。
【００４２】
図２は、横軸を暖房バーナ４−２の燃焼量に設定し、縦軸を暖房熱交換器３−２での熱効率に設定して、「燃焼範囲小」（Ｓ1〜Ｓ2）、「燃焼範囲中」（Ｍ1〜Ｍ2）、「燃焼範囲大」（Ｌ1〜Ｌ2）での燃焼量の調節範囲と熱効率の関係を示したものである。図２から明らかなように、同じ燃焼量で暖房バーナ４−２を燃焼させる場合、燃焼範囲を大きくした方が熱効率が高くなる。
【００４３】
例えば、燃焼量Ｂ1で暖房バーナ４−２を燃焼させるときには、「燃焼範囲大」でガス比例弁４２によりＰLに制御した方が、「燃焼範囲中」でガス比例弁４２によりＰMに制御するより、熱効率が高くなる。そこで、コントローラ２０は、暖房運転の単独運転時には、暖房バーナ４−２の燃焼範囲をできるだけ大きくしてガス比例弁４２により暖房バーナ４−２の燃焼量を制御する。
【００４４】
次に、ガス比例弁４２は、給湯バーナ４−１と暖房バーナ４−２に対して共通の燃料ガス供給路４０に設けられているため、給湯運転と暖房運転の同時運転時に、給湯バーナ４−１と暖房バーナ４−２の燃焼量を、ガス比例弁４２によってそれぞれ個別に制御することはできない。
【００４５】
そのため、コントローラ２０は、給湯運転と暖房運転の同時運転時には給湯バーナ４−１を優先し、給湯バーナ４−１については、目標給湯温度が得られるように、ガス比例弁４２により燃焼量を制御する。一方、暖房バーナ４−２については、図３〜図４のフローチャートに示したように、燃焼範囲を切替えて燃焼量を制御することによって、暖房熱交換器３−２からの出湯温度Ｔhを要求湯温に近づける。
【００４６】
図３のＳＴＥＰ１で、暖房運転（温風暖房機１０又は床暖房パネル１１による暖房運転）又は給湯運転のいずれか一方の単独運転中に、他方の運転の開始指示がなされるときにＳＴＥＰ２に進み、コントローラ２０は、他方の運転を開始して、暖房運転と給湯運転の同時運転を行なう。
【００４７】
ＳＴＥＰ２で、コントローラ２０は、暖房バーナ４−２を「燃焼範囲小」（暖房能力切換弁４４Ｓ：開弁、暖房能力切換弁４４Ｓ：閉弁）として、暖房バーナ４−２の点火処理を行う。このように、暖房バーナ４−２の燃焼範囲を最小の「燃焼範囲小」として、暖房バーナ４−２の燃焼を開始することにより、給湯運転と暖房運転の同時運転を開始して、目標給湯温度の湯が得られるようにガス比例弁４２の開度を調節したときに、暖房バーナ４−２による暖房熱交換器３−２の加熱が過剰となって暖房熱交換器３−２内の湯が沸騰し、暖房熱交換器３−２の劣化が生じることを防止することができる。
【００４８】
続くＳＴＥＰ３で、コントローラ２０は、湯温センサ９３により検出される暖房熱交換器３−２からの出湯温度Ｔhが、小範囲ＵＰ温度（例えば、７５℃）以下であるか否かを判断する。
【００４９】
そして、出湯温度Ｔhが小範囲ＵＰ温度以下であったときはＳＴＥＰ４に進み、コントローラ２０は、小範囲ＵＰタイマ（例えば、タイマ時間が４秒に設定される）をスタートさせる。続くＳＴＥＰ５〜ＳＴＥＰ６のループで、コントローラ２０は、ＳＴＥＰ５で出湯温度Ｔhが小範囲ＵＰ温度以下である状態が、ＳＴＥＰ６で小範囲ＵＰタイマがタイムアップするまで継続したときは、図４のＳＴＥＰ７に進む。
【００５０】
一方、ＳＴＥＰ３又はＳＴＥＰ５で、暖房熱交換器３−２からの出湯温度Ｔhが、小範囲ＵＰ温度よりも高いときは、ＳＴＥＰ３に分岐し、コントローラ２０は、「燃焼範囲小」での暖房バーナ４−２の燃焼を維持する。
【００５１】
ここで、コントローラ２０は、暖房運転の実行中に、ＳＴＥＰ２０〜ＳＴＥＰ２５による暖房消火判定の処理を繰り返し実行する。ＳＴＥＰ２０で、コントローラ２０は、暖房熱交換器３−２からの出湯温度Ｔhが、消火判定温度（例えば、９０℃に設定される）以上であるか否かを判断する。
【００５２】
そして、出湯温度Ｔhが消火判定温度以上になったときにＳＴＥＰ２１に進み、コントローラ２０は暖房消火タイマをスタートさせる。続くＳＴＥＰ２２〜ＳＴＥＰ２３のループにより、コントローラ２０は、ＳＴＥＰ２２で出湯温度Ｔhが消火判定温度よりも低くなる前に、ＳＴＥＰ２３で暖房消火タイマがタイムアップするか否かを判断する。
【００５３】
ＳＴＥＰ２３で暖房消火タイマがタイムアップしたとき、すなわち、暖房熱交換器３−２からの出湯温度Ｔhが消火判定温度以上である状態がある程度継続したときにＳＴＥＰ２４に進み、コントローラ２０は暖房バーナ４−２を消火する。なお、ＳＴＥＰ２４で暖房バーナ４−２を消火したときに、コントローラ２０は、ＳＴＥＰ１〜の給湯−暖房同時運転での暖房運転の処理を中止する。
【００５４】
続くＳＴＥＰ２５で、コントローラ２０は、暖房熱交換器３−２からの出湯温度Ｔhが暖房燃焼開始温度（例えば、設定温度(８０℃)−１０℃）以下になるのを待ってＳＴＥＰ１に進み、暖房運転の処理を再開する。これにより、「燃焼範囲小」として暖房バーナ４−２の燃焼が再開される。
【００５５】
図４のＳＴＥＰ７で、コントローラ２０は、暖房バーナ４−２を「燃焼範囲中」（暖房能力切換弁４４Ｌ：開弁，暖房能力切換弁４４Ｓ：閉弁）とし、続くＳＴＥＰ８で、暖房熱交換器３−２からの出湯温度Ｔhが中範囲ＵＰ温度（例えば、９０℃）以下であるか否かを判断する。
【００５６】
ＳＴＥＰ８で、出湯温度Ｔhが中範囲ＵＰ温度以下であるときはＳＴＥＰ９に進み、コントローラ２０は、中範囲ＵＰタイマ（例えば、タイマ時間が４秒に設定される）をスタートさせる。続くＳＴＥＰ１０〜ＳＴＥＰ１１のループにより、ＳＴＥＰ１０で暖房熱交換器３−２からの出湯温度Ｔhが中範囲ＵＰ温度以下である状態が、ＳＴＥＰ１１で中範囲ＵＰタイマがタイムアップするまで継続したときにＳＴＥＰ１２に進む。
【００５７】
一方、ＳＴＥＰ８又はＳＴＥＰ１０で、暖房熱交換器３−２からの出湯温度Ｔhが中範囲ＵＰ温度よりも高いときにはＳＴＥＰ３０に分岐する。ＳＴＥＰ３０で、コントローラ２０は、出湯温度Ｔhが中範囲ＤＯＷＮ温度以上であるか否かを判断する。そして、出湯温度Ｔhが中範囲ＤＯＷＮ温度以上であるときは、ＳＴＥＰ３１に進んで中範囲ＤＯＷＮタイマ（例えば、タイマ時間が０．５秒に設定される）をスタートさせ、出湯温度Ｔhが中範囲ＤＯＷＮ温度よりも低いときにはＳＴＥＰ８に分岐する。
【００５８】
続くＳＴＥＰ３２〜ＳＴＥＰ３３のループにより、コントローラ２０は、ＳＴＥＰ３２で暖房熱交換器３−２からの出湯温度Ｔhが中範囲ＤＯＷＮ温度以上である状態が、ＳＴＥＰ３３で中範囲ＤＯＷＮタイマがタイムアップするまで継続したときに、ＳＴＥＰ３４に進む。
【００５９】
ＳＴＥＰ３４で、コントローラ２０は、暖房バーナ４−２の燃焼範囲を「燃焼範囲中」から「燃焼範囲小」に切替えて、図３のＳＴＥＰ３に進む。また、ＳＴＥＰ３２で暖房熱交換器３−２からの出湯温度Ｔhが中範囲ＤＯＷＮ温度よりも低くなったときには、ＳＴＥＰ８に分岐する。
【００６０】
ＳＴＥＰ１２で、コントローラ２０は、暖房バーナ４−２を「燃焼範囲大」（暖房能力切換弁４４Ｌ：開弁、暖房能力切換弁４４Ｓ：開弁）とする。続くＳＴＥＰ１３で、コントローラ２０は、暖房熱交換器３−２からの出湯温度Ｔhが大範囲ＤＯＷＮ温度（例えば、８７℃）以上であるか否かを判断する。そして、出湯温度Ｔhが大範囲ＤＯＷＮ温度以上であるときはＳＴＥＰ１４に進み、コントローラ２０は、大範囲ＤＯＷＮタイマをスタートさせる。
【００６１】
続くＳＴＥＰ１５〜ＳＴＥＰ１６のループにより、ＳＴＥＰ１５で暖房熱交換器３−２からの出湯温度Ｔhが大範囲ＤＯＷＮ温度以上である状態が、ＳＴＥＰ１６で大範囲ＤＯＷＮタイマがタイムアップするまで継続したときに、ＳＴＥＰ７に進む。これにより、暖房バーナ４−２の燃焼範囲が「燃焼範囲大」から「燃焼範囲中」に切り換えられる。また、ＳＴＥＰ１３又はＳＴＥＰ１５で、暖房熱交換器３−２からの出湯温度Ｔhが大範囲ＤＯＷＮ温度よりも低いときには、ＳＴＥＰ１３に分岐する。
【００６２】
なお、本実施形態では、図３のＳＴＥＰ２の処理により、給湯運転の単独運転から給湯運転と暖房運転の同時運転に移行するときに、暖房バーナ４−２の燃焼範囲を「燃焼範囲小」として、暖房バーナ４−２の燃焼を開始したが、暖房バーナ４−２の燃焼範囲を最大燃焼範囲である「燃焼範囲大」よりも小さい「燃焼範囲中」として、暖房バーナ４−２の燃焼を開始する場合にも本発明の効果を得ることができる。
【００６３】
また、本実施形態においては、暖房用の熱媒体として温水を用いた熱源装置を示したが、不凍液等の温水以外の熱媒体を用いた熱源装置に対しても、本発明の適用が可能である。
【符号の説明】
【００６４】
２−１…給湯燃焼部、２−２…暖房燃焼部、３−１…給湯熱交換器、３−２…暖房熱交換器、４−１…給湯バーナ、４−２…暖房バーナ、４−１Ｓ，４−１Ｍ，４−１Ｌ…給湯バーナブロック、４−２Ｓ，４−２Ｌ…暖房バーナブロック、８ａ…給水管、８ｂ…給湯管、９…暖房循環回路、１０…温風暖房機、１１…床暖房パネル、２０…コントローラ、２５…リモコン、４２…ガス比例弁、４３Ｓ，４３Ｍ，４３Ｌ…給湯能力切換弁、４４Ｓ，４４Ｌ…暖房能力切換弁。
【図１】
2013170772.tif 000003
【図２】
2013170772.tif 000004
【図３】
2013170772.tif 000005
【図４】
2013170772.tif 000006